(57)【特許請求の範囲】
【請求項１】
育児器具に用いられる幌であって、
育児器具本体に接続する基部材と、
前記基部材に揺動可能に接続した幌骨と、
前記幌骨に装着された幌布と、
前記幌布と前記基部材とを接続する接続具と、を備える、幌。
【請求項２】
前記接続具の前記基部材への接続位置は、前記基部材に対する前記幌骨の揺動中心よりも下方である、請求項１に記載の幌。
【請求項３】
前記接続具の前記基部材への接続位置は、前記基部材に対する前記幌骨の揺動中心よりも前方である、請求項１又は２に記載の幌。
【請求項４】
前記幌布は、前記幌骨に装着された幌布本体と、幌布本体の内面から延びした延長布部と、を有し、
前記基部材に対する前記幌骨の揺動中心は、幅方向における前記幌布本体及び前記延長布部との間に位置する、請求項１〜３のいずれか一項に記載の幌。
【請求項５】
前記幌布本体には、前記幌骨が通過する通過穴が設けられ、
前記通過穴は前記幌骨が延び出す開口部を設けられ、
前記延長布部は、前記開口部を前記幅方向に対面する、請求項４に記載の幌。
【請求項６】
前記幌骨として、第１幌骨及び第２幌骨が設けられ、
前記幌布本体には、前記第１幌骨が通過する第１通過穴および前記第２幌骨が通過する第２通過穴が設けられ、
前記第１通過穴は前記第１幌骨が延び出す開口部を設けられ、前記第２通過穴は前記第２幌骨が延び出す開口部を設けられ、
前記延長布部は、前記第１通過穴の前記開口部および前記第２通過穴の前記開口部の両方と前記幅方向に対面する、請求項４に記載の幌。
【請求項７】
前記接続具は、前記延長布部の前記幌布本体を向く面に取り付けられている、請求項４〜６のいずれか一項に記載の幌。
【請求項８】
前記延長布部は、前記接続具および前記基部材との接続位置に前記幅方向における内側から対面する、請求項４〜７のいずれか一項に記載の幌。
【請求項９】
前記幌骨は、幅方向における外側から前記基部材に接続し、
前記接続具は、前記幅方向における内側から前記基部材に接続する、請求項１〜８のいずれか一項に記載の幌。
【請求項１０】
前記接続具は、一方の側の端部を前記幌布に縫い付けられたベルト部材を有し、
前記ベルト部材は、他方の側において折り返された状態で縫い付けられることによって、前記基部材に接続する前記接続具の先端部分を形成し、
前記基部材は、前記先端部分が通過した状態で前記接続具を保持する保持部を有する、請求項１〜９のいずれか一項に記載の幌。
【請求項１１】
育児器具に用いられる幌であって、
育児器具本体に接続する基部材と、
前記基部材に揺動可能に接続した幌骨と、
前記幌骨に装着された幌布と、を備え、
前記幌布は、前記幌骨に装着された幌布本体と、幌布本体の内面から延びした延長布部と、を有し、
前記基部材に対する前記幌骨の揺動中心は、幅方向における前記幌布本体及び前記延長布部との間に位置する、幌。
【請求項１２】
請求項１〜１１のいずれか一項に記載の幌と、
前記幌を保持する育児器具本体と、を備える、育児器具。
【発明の詳細な説明】
【技術分野】
【０００１】
本開示は、幌および育児器具に関する。
【背景技術】
【０００２】
従来、乳母車やチャイルドシート等の育児器具には幌が設けられている。従来の幌は、通常、基部と、基部に取り付けられた複数の幌骨と、幌骨に装着された幌布と、を有している。幌骨は、略Ｕ字状に形成され、その両基端部をそれぞれ対応する側の基部に取り付けられている。幌布を装着された幌骨は、基部に対して揺動可能となっている。幌骨を揺動させることによって、幌を広げる（開く）こと及び幌を畳む（閉じる）ことが可能となる。【０００３】
ところが、幌骨を基部に対して揺動させた際、幌布が幌骨に対して移動してせり上がることがある。例えばＪＰ２０１０−０１３００８Ａの図１１や図１４に示されているように、幌布の幌骨に対する移動によって、幌骨の基端部が露出することもある。幌骨の基端部が露出すると、幌および育児器具の見栄えが悪くなることがある。
【発明の開示】
【０００４】
本発明は、以上の点を考慮してなされたものであり、幌布の幌骨に対する移動を抑制することを目的とする。
【０００５】
本発明による第１の幌は、育児器具に用いられる幌であって、育児器具本体に接続する基部材と、前記基部材に揺動可能に接続した幌骨と、前記幌骨に装着された幌布と、前記幌布と前記基部材とを接続する接続具と、を備える。
【０００６】
本発明による第２の幌は、育児器具に用いられる幌であって、育児器具本体に接続する基部材と、前記基部材に揺動可能に接続した幌骨と、前記幌骨に装着された幌布と、を備え、前記幌布は、前記幌骨に装着された幌布本体と、幌布本体の内面から延びした延長布部と、を有し、前記基部材に対する前記幌骨の揺動中心は、幅方向における前記幌布本体及び前記延長布部との間に位置する。
【０００７】
本発明によれば、幌布の幌骨に対する移動を抑制することができる。
【図面の簡単な説明】
【０００８】
【図１】一実施の形態を説明するための図であって、育児器具および幌の一例を示す斜視図。
【図２】図１の育児器具の育児器具本体および幌の一部分を拡大して示す斜視図。
【図３】図１の幌を広げた状態で示す側面図。
【図４】図１の幌を畳んだ状態で示す側面図。
【図５】図３の幌を幅方向における内側から示す部分側面図。
【図６】図４の幌を幅方向における内側から示す部分側面図。
【図７】図５に対応する部分側面図であって、延長布部の先端部分を幌布本体から取り外して示す図。
【発明を実施するための形態】
【０００９】
本発明による育児器具１０は、育児器具本体１２と、育児器具本体１２に取り付けられた幌３０と、を有している。育児器具１０は、乳母車、チャイルドシート、ベビーラック等の器具であり、典型的には子供（乳児、幼児、児童等の年少者）を育てる過程において子供を世話するために使用される器具である。育児器具本体１２は、乳母車、チャイルドシート、ベビーラック等の本体部であり、典型的には子供が乗り込むスペース、すなわち居住空間を有している。幌３０は、日差しや風雨等を遮って、育児器具本体１２上の子供に快適な環境を提供する。とりわけ、本発明による幌３０は、後述するように、開閉可能に構成され、且つ、見栄え良くするための工夫がなされている。
【００１０】
以下、図１〜図７を参照しながら本発明による一実施の形態およびその変形例について説明する。以下の説明では、育児器具１０が、乳母車として構成されている例を示す。ただし、本実施の形態は、乳母車としての例に限られず、育児器具１０は、その他の育児器具１０に対して適用し得る。
【００１１】
図１には、育児器具１０をなす乳母車２０の全体構成が示されている。乳母車２０は、育児器具本体１２をなす乳母車本体２２と、乳母車本体２２に着脱可能なクッション布材２８及び幌３０と、を有している。乳母車本体２２は、一対の前脚や一対の後脚を有した本体フレーム２４と、図２に視されたシート支持ユニット２６と、を有している。シート支持ユニット２６は、本体フレーム２４に支持され、クッション布材２８を保持する。図２に示すように、幌３０は、シート支持ユニット２６に取り外し可能に取り付けられている。幌３０は、シート支持ユニット２６に支持されたクッション布材２８を上方から覆うことができる。 
【００１２】
なお、本明細書において用いる「前」、「後」、「上」および「下」の用語は、特に指示がない場合、育児器具１０での育児対象となる子供を基準とした「前」、「後」、「上」および「下」を意味する。したがって、「前後方向」とは、図１における紙面の左下と右上とを結ぶ方向に相当する。そして、特に指示がない限り、「前」とは、子供が向く側であり、図１における紙面の左下側が前後方向における前側となる。一方、「上下方向」とは前後方向に直交するとともに育児器具１０の配置面に直交する方向である。したがって、育児器具１０の配置面が水平面である場合、「上下方向」とは鉛直方向をさす。また、「幅方向」及び「横方向」とは、「前後方向」および「上下方向」のいずれにも直交する方向である。
【００１３】
次に、幌３０について説明する。図３に示すように、幌３０は、育児器具本体１２への接続箇所をなす基部材３５と、基部材３５に揺動可能に接続した幌骨４０と、幌骨４０に装着された幌布５０と、を有している。図示された例において、幌３０は、幌骨４０として、第１幌骨４０Ａ及び第２幌骨４０Ｂを有している。第１幌骨４０Ａ及び第２幌骨４０Ｂは、それぞれ、基部材３５に揺動可能に接続している。
【００１４】
幌３０は、幅方向における中心を通過して幅方向に直交する面を中心として、対称に構成されている。したがって、幌３０は、幅方向に離間して一対の基部材３５を有している。幌骨４０は、その両端部において、互いに異なる基部材３５に接続している。第１幌骨４０Ａ及び第２幌骨４０Ｂは、それぞれ、一対の基部材３５の間を延びている。
【００１５】
図２〜図７では、幌３０の幅方向Ｄ２における左側に位置する部分を示している。図２〜図７には、方向の関係を図面間で明確にするため、共通する符号を付した矢印により、前後方向Ｄ１、幅方向Ｄ２及び上下方向Ｄ３を示している。前後方向Ｄ１については、矢印は前側を向いている。幅方向Ｄ２については、矢印は外側、すなわち、幅方向における中心から離間する側を向いている。上下方向Ｄ３については、矢印は上側を向いている。図面の紙面に垂直な方向に沿って紙面から手前に向かう矢印を、図３及び図４に示すように、円の中に点を設けた記号により示した。図面の紙面に垂直な方向に沿って紙面の奥に向かう矢印を、例えば図５〜７に示すように、円の中に×を設けた記号により示した。
【００１６】
図３及び図５は、開いた状態（広げた状態）の幌３０を示している。図４及び図６は、閉じた状態（畳んだ状態）の幌３０を示している。図３及び図４は幌３０の左側部分を幅方向における外側から示している。図５及び図６は幌の左側部分を幅方向における内側から示している。幌３０の開いた状態において、第１幌骨４０Ａは第２幌骨４０Ｂの前側に位置する。幌３０の閉じた状態において、第１幌骨４０Ａは第２幌骨４０Ｂの上側に位置している。
【００１７】
基部材３５は、乳母車本体２２に接続している。図示された例において、基部材３５は、乳母車本体２２に着脱可能となっている。図示された基部材３５は、接続部３６及び支持部３７を有している。接続部３６は、育児器具本体１２と接続する部分である。図示された例において、接続部３６は、シート支持ユニット２６と接続する。基部材３５は、接続部３６を介して乳母車本体２２に接続する。支持部３７は、幌骨４０と回動可能に接続している。図示された支持部３７は、図２に示すように、円板状に形成されている。支持部３７は、接続部３６から前後方向における後側かつ上下方向における上側に延び出している。基部材３５は、例えば樹脂成形物によって構成され得る。
【００１８】
幌骨４０は、基部材３５に接続する一対の基端部４１と、一対の基端部４１の間を延びる骨部４２と、を有している。基端部４１は、基部材３５への接続箇所となる。基端部４１は、支持部３７と同様に、円板状に形成されている。幌骨４０は、全体として略Ｕ字状に形成されている。基端部４１及び骨部４２は、一体的に構成されていてもよいし、別体として構成されていてもよい。基端部４１及び骨部４２は、樹脂成形物によって構成されてもよい。骨部４２は、金属板によって構成されてもよい。
【００１９】
図２に示すように、幅方向Ｄ２における左側において、基部材３５の支持部３７、第２幌骨４０Ｂの基端部４１及び第１幌骨４０Ａの基端部４１が、幅方向Ｄ２における内側から外側へ向けてこの順番で重ねられている。図示しない幅方向Ｄ２における右側においても、基部材３５の支持部３７、第２幌骨４０Ｂの基端部４１及び第１幌骨４０Ａの基端部４１が、幅方向Ｄ２における内側から外側へ向けてこの順番で重ねられている。
【００２０】
図２及び図７に示すように、幌３０は、更に軸部材３３を有している。軸部材３３は、基部材３５の支持部３７、第２幌骨４０Ｂの基端部４１及び第１幌骨４０Ａの基端部４１を、この順番で貫通している。軸部材３３によって、基部材３５、第１幌骨４０Ａ及び第２幌骨４０Ｂが揺動可能に接続している。すなわち、第１幌骨４０Ａ及び第２幌骨４０Ｂは、軸部材３３の軸線によって画成される揺動軸線ＳＡを揺動中心ＳＣとして、基部材３５に対して相対揺動可能となっている。図示された例において、揺動軸線ＳＡは幅方向Ｄ２と平行である。
【００２１】
図３に点線で示すように、図示された幌３０は、補助芯材４５を更に有している。補助芯材４５は、幌３０が開いた状態において幌布５０が潰れてしまうことを防止する。補助芯材４５は、幌布５０に縫い付けられる或いは幌布５０に内蔵されるようにしてもよい。補助芯材４５は、例えば、第１幌骨４０Ａ及び第２幌骨４０Ｂよりも低剛性で変形し易く構成され得る。図１に点線で示すように、補助芯材４５は、幌骨４０と同様に、略Ｕ次状に維持されて一対の基部材３５の間を延びる。補助芯材４５は、基部材３５と接続されていない点において、第１幌骨４０Ａ及び第２幌骨４０Ｂと区別される。
【００２２】
図３に示された例において、前側から後側の順で、第１〜第５補助芯材４５Ａ〜４５Ｅが設けられている。第１補助芯材４５Ａは、第１幌骨４０Ａの前方に位置する。第２補助芯材４５Ｂ及び第３補助芯材４５Ｃが、第１幌骨４０Ａ及び第２幌骨４０Ｂの間に位置する。第４補助芯材４５Ｄ及び第５補助芯材４５Ｅが、第２幌骨４０Ｂの後方に位置する。
【００２３】
図３〜図６に示すように、幌布５０は、幌骨４０に装着された幌布本体５２を有している。図５〜図７に示すように、幌布５０は、幌布本体５２に接続した延長布部６０を更に有している。図７において、延長布部６０の一方他の端部６２は、幌布本体５２に未接続状態で折り返され、図５に示された通常とは異なる状態にある。この延長布部６０については後述する。
【００２４】
幌布本体５２は、日差しや風雨を遮ることができる柔軟な材料、例えば布を用いて形成され得る。幌布本体５２には、種々の公知の材料を用いることができる。例えば、採光、通気、透視等を可能にする観点から、幌布本体５２の一部分が、メッシュ材等により形成されてもよい。幌布本体５２の大きさは、第１幌骨４０Ａ及び第２幌骨４０Ｂの揺動可能範囲に応じて適宜設定される。好ましくは、図３に示された幌３０の全開状態において、幌布本体５２が張った状態となるように幌布本体５２の大きさが設定される。
【００２５】
図３及び図５に示すように、図示された幌布本体５２は、第１〜第７本体布部５２Ａ〜５２Ｇを含んでいる。第１本体布部５２Ａは、第１補助芯材４５Ａ及び第１幌骨４０Ａの間に位置している。第２本体布部５２Ｂは、第１幌骨４０Ａ及び第２補助芯材４５Ｂの間に位置している。第３本体布部５２Ｃは、第２補助芯材４５Ｂ及び第３補助芯材４５Ｃの間に位置している。第４本体布部５２Ｄは、第３補助芯材４５Ｃ及び第２幌骨４０Ｂの間に位置している。第５本体布部５２Ｅは、第２幌骨４０Ｂ及び第４補助芯材４５Ｄの間に位置している。第６本体布部５２Ｆは、第４補助芯材４５Ｄ及び第５補助芯材４５Ｅの間に位置している。第７本体布部５２Ｇは、第５補助芯材４５Ｅの下方に位置している。
【００２６】
第１〜第７本体布部５２Ａ〜５２Ｇは、互いに別の部材（例えば布）よって構成され、例えば縫い付けられることによって互いに接続してもよい。第１〜第７本体布部５２Ａ〜５２Ｇの一部または全部が、同一の部材（例えば布）によって一体的に構成されてもよい。
【００２７】
図７に示すように、幌布本体５２は、幌骨４０が通過する通過穴５３を設けられている。図示された例において、第２本体布部５２Ｂに第１通過穴５３Ａが形成され、第４本体布部５２Ｄに第２通過穴５３Ｂが形成されている。幌骨４０が幌布本体５２の通過穴５３を通過することによって、幌布５０が幌骨４０に装着される。通過穴５３は、その両端に、幌骨４０が延び出す開口部５４（図５及び図７参照）を設けられている。
【００２８】
開口部５４は、幌布本体５２の内面に位置している。したがって、幌骨４０の基端部４１は、幌布本体５２の内側に露出している。図３及び図７に示すように、幌布本体５２は、基部材３５に対する幌骨４０の揺動中心ＳＣに幅方向Ｄ２における外側から対面している。幌布本体５２は、基部材３５に対する幌骨４０の揺動中心ＳＣ、更には、幌骨４０の基端部４１や、幌骨４０と基部材３５が接続する部分を、幅方向Ｄ２における外側から覆っている。
【００２９】
図示された幌布本体５２は、図７に示すように、外布５６及び内布５７を有している。外布５６は、幌布本体５２の外表面を形成する。内布５７は外布５６に内側から重ねられている。内布５７は、縫い付ける等によって、外布５６に取り付けられている。内布５７は、幌布本体５２の内表面を形成する。そして、外布５６及び内布５７の間に通過穴５３が形成されている。図５及び図７に示すように、外布５６及び内布５７を縫い付ける縫い付け線５８によって、通過穴５３が区画されている。縫い付け線５８によって、通過穴５３の大きさが調整され、幌骨４０の長手方向以外の方向への幌布５０に対する幌骨４０の相対移動が規制される。
【００３０】
図５及び図７に示すように、第１〜第５補助芯材４５Ａ〜４５Ｅは幌布本体５２に保持されている。上述したように、補助芯材４５は、幌布５０に縫い付けられる或いは幌布５０に内蔵されるようにしてもよい。図示された例のように、補助芯材４５は、隣接する二つの本体布部の接続部分に形成された収容スペースに配置されてもよい。補助芯材４５は、外布５６及び内布５７の間に保持されてもよい。
【００３１】
延長布部６０は、幌布本体５２の内面に接続している。幌布本体５２には、一対の延長布部６０が設けられている。一対の延長布部６０の各々は、別の基部材３５に対応して設けられている。
【００３２】
図５に示すように、延長布部６０は、基部材３５に対する幌骨４０の揺動中心ＳＣに幅方向Ｄ２において内側から対面している。延長布部６０は、基部材３５に対する幌骨４０の揺動中心ＳＣ、更には、幌骨４０の基端部４１や、幌骨４０と基部材３５が接続する部分を、幅方向Ｄ２における内側から覆う。すなわち、基部材３５に対する幌骨４０の揺動中心ＳＣ、更には、幌骨４０の基端部４１や、幌骨４０と基部材３５が接続する部分は、幅方向Ｄ２において幌布本体５２及び延長布部６０の間に位置する。図６に示すように、幌３０が閉じられた状態（畳まれた状態）においても、延長布部６０は、基部材３５に対する幌骨４０の揺動中心ＳＣ、更には、幌骨４０の基端部４１や、幌骨４０と基部材３５が接続する部分に、幅方向Ｄ２において内側から対面している。
【００３３】
また、図５及び図７の比較から理解されるように、延長布部６０は、通過穴５３の開口部５４を覆うように配置されている。図示された例において、延長布部６０は、第１通過穴５３Ａの開口部５４及び第２通過穴５３Ｂの開口部５４を覆うように配置されている。図６に示すように、幌３０が閉じられた状態（畳まれた状態）においても、延長布部６０は、第１通過穴５３Ａの開口部５４及び第２通過穴５３Ｂの開口部５４に、幅方向Ｄ２において内側から対面し、開口部５４を覆う。
【００３４】
図５及び図７に示すように、延長布部６０は、幌布本体５２に接続した第１端部６１を有している。延長布部６０は、幌布本体５２から延び出し、細長い形状を有している。図示された延長布部６０は、湾曲した形状を有している。延長布部６０は、幌布本体５２から離間する側の端部として、第２端部６２を有している。図５及び図６に示すように、第２端部６２は、例えば縫い付けることによって、幌布本体５２に接続している。延長布部６０は、第１端部６１及び第２端部６２の間において、揺動中心ＳＣ、幌骨４０の基端部４１、幌骨４０と基部材３５が接続する部分、通過穴５３の開口部５４に、幅方向Ｄ２における内側から対面する。
【００３５】
図示された延長布部６０は、図５〜図７に示すように、通過穴５３の開口部５４から第２幌骨４０Ｂが延び出す向きに、幌布本体５２から延び出している。第１端部６１は、第１通過穴５３Ａの開口部５４を形成する部分に接続している。図５に示すように、第２端部６２は、第１本体布部５２Ａ及び第２本体布部５２Ｂの境界であって、第１通過穴５３Ａの開口部５４に隣接する位置に、接続している。
【００３６】
延長布部６０は、柔軟な材料、例えば布を用いて形成され得る。幌布本体５２には、種々の公知の材料を用いることができる。図示された延長布部６０は、幌布本体５２に用いられた布を利用して形成されている。すなわち、延長布部６０は、幌布本体５２の一部分と一体的に形成されている。より具体的には、延長布部６０は、内布５７と同一の布によって、内布５７と一体的に形成されている。内布５７は、第２幌骨４０Ｂが通過する第２通過穴５３Ｂを区画する布材である。
【００３７】
ただし、図示された例と異なり、延長布部６０は、第１幌骨４０Ａが通過する第１通過穴５３Ａを区画する布材の延長部分として形成されていてもよい。延長布部６０は、幌布本体５２とは別の布によって形成されていてもよい。
【００３８】
本実施の形態の幌３０は、更に、幌布５０と基部材３５とを接続する接続具７０を更に有している。接続具７０は、幌骨４０上での幌布５０の自由な移動を規制する。接続具７０は、好ましくは幌布５０が基部材３５から離間するように移動することを規制する。接続具７０は、幌布５０及び基部材３５の少なくとも一方に着脱可能であってもよい。接続具７０は、幌布５０及び基部材３５の少なくとも一方に取り外し不可能に固定されていてもよい。
【００３９】
接続具７０の構成は、特に限定されない。例えば、接続具７０は、一つまたは二つのベルト状の部材や紐状の部材として構成されてもよい。より具体的には、幌布５０及び基部材３５の一方から延び出す一つのベルト状または紐状の接続具７０を、幌布５０及び基部材３５の他方での折り返し前後となる二つの部分にて互いに固定することにより、幌布５０及び基部材３５を接続してもよい。幌布５０及び基部材３５のそれぞれから延び出す一対のベルト状または紐状の接続具７０を互いに固定することにより、幌布５０及び基部材３５を接続してもよい。接続具７０は、幌布５０及び基部材３５のそれぞれに設けられた面ファスナを有してもよい。接続具７０は、幌布５０及び基部材３５の一方に支持されたボタン等の鉤状部材を有し、この鉤状部材が幌布５０及び基部材３５の他方に形成されたボタン穴等の受け部によって保持されるようにしてもよい。
【００４０】
図示された接続具７０は、図７に示すように、幌布５０に接続した基端部分７１と、基部材３５に取り付けられる先端部分７２と、を有している。接続具７０は、ベルト部材７５を有している。ベルト部材７５は、例えば布によって形成されたベルト状の部材である。ベルト部材７５の一端部分７６は、幌布５０に縫い付けられている。この一端部分７６が、接続具７０の基端部分７１を形成している。ベルト部材７５の他端部分７７は、折り返された状態に保持されている。このベルト部材７５は、折り返し部によって、接続具７０の先端部分７２を形成している。ベルト部材７５の折り返し部は縫い付けられる等によって、折り返した状に維持されている。図５及び図７から理解され得るように、この縫い付けによって、ベルト部材７５の他端部分７７の先端は、対面するベルト部材７５のその他の部分から離間するようになる。これにより、外力が加えられていない接続具７０は、先端部分７２において、先端から基端に向けて厚さが厚くなっていく。ただし、ベルト部材７５の他端部分７７の先端を指で押さえることによって、先端部分７２の厚みは略一定となる。
【００４１】
図２及び図７に示すように、基部材３５は保持部３８を有している。保持部３８は、支持部３７に設けられている。図示された例において、幌骨４０は、幅方向Ｄ２における外側から基部材３５に接続している。そして、基部材３５の支持部３７の幅方向Ｄ２における内側を向く面は、幌骨４０によって覆われていない。保持部３８は、支持部３７の幅方向Ｄ２における内側を向く面に設けられている。図５及び図６に示すように、保持部３８は、幅方向Ｄ２に延長布部６０と対面している。すなわち、延長布部６０は、幅方向Ｄ２において内側から、保持部３８に対面し保持部３８を覆う。
【００４２】
図７に示すように、保持部３８は、基部材３５に対する幌骨４０の揺動中心ＳＣよりも下方に位置する。また、保持部３８は、基部材３５に対する幌骨４０の揺動中心ＳＣよりも前方に位置する。したがって、図５に示すように、接続具７０の基部材３５への接続位置は、基部材３５に対する幌骨４０の揺動中心ＳＣよりも下方となる。接続具７０の基部材３５への接続位置は、基部材３５に対する幌骨４０の揺動中心ＳＣよりも前方となる。
【００４３】
保持部３８は、門のような突出部であって、支持部３７との間に保持穴３８ａを形成する。保持穴３８ａに接続具７０の先端部分７２が挿入されると、ベルト部材７５の他端部分７７の先端が保持部３８に引っ掛かる。これにより、延長布部６０が保持穴３８ａから抜けることが規制される。このようにして、接続具７０の先端部分７２が保持部３８によって保持され、基部材３５及び幌布５０が接続具７０を介して接続した状態に維持される。一方、上述したようにベルト部材７５の他端部分７７の先端を指で押さえることによって、先端部分７２の厚みが略一定となり、保持穴３８ａから先端部分７２を引き出すことができる。
【００４４】
図示された接続具７０は、例えば縫い付けられることによって、幌布５０の延長布部６０に取り付けられている。接続具７０の基端部分７１は、延長布部６０の幅方向Ｄ２における外側を向く面に取り付けられている。一方、保持部３８は、支持部３７の幅方向Ｄ２における内側を向く面に設けられている。したがって、接続具７０は、幅方向Ｄ２における内側から基部材３５に接続する。図５に示すように、延長布部６０は、接続具７０及び基部材３５との接続位置に幅方向Ｄ２における内側から対面する。好ましくは、延長布部６０は、接続具７０の全体を幅方向Ｄ２における内側から覆う。
【００４５】
次に、以上の構成を有する幌３０の使用時における作用について説明する。例えば第１本体布部５２Ａを把持して前側に引くことにより、幌３０を広げること（開くこと）ができる。図３及び図５は、幌３０が全開した状態を示している。例えば第１幌骨４０Ａを後側に押すことにより、幌３０を畳むこと（閉じること）ができる。図４及び図６は、幌３０が全閉した状態を示している。幌３０を広げたり閉じたりすることによって、乳母車本体２２等の育児器具本体１２における居住空間を快適な環境とすることができる。
【００４６】
ところで、従来の幌の幌骨を基部に対して揺動させた際、幌布が幌骨に対して移動することがあった。例えば、幌を最も広げた際、幌布が張った状態となり、幌布は基部材から離間するように幌骨上を移動する。通常の幌において、側面視における幌布の最大展開角度は１８０°未満であり、このような幌では、幌を開くにつれて幌布が移動し易くなる。また、幌を閉じた際にも、幌布は幌骨上を移動することがある。幌を全閉する場合、幌骨の接近に伴う幌布の重なり合いを緩和するため、幌布は基部材から離間するように幌骨上を移動し易い。
【００４７】
幌骨の揺動にともなって幌布が所定の配置位置からずれると、幌および育児器具の見栄えが悪くなる。特に、幌布が基部材から離間するように幌骨上を移動して、幌骨の基端部や、幌骨および基部材の接続部分が、幌布から露出すると、幌および育児器具の見栄えが悪くなる。幌は育児器具の居住空間の上方に位置して目立ち易いことから、この不具合は重大な不具合となり得る。
【００４８】
これに対して本実施の形態による幌３０は、幌布５０と基部材３５とを接続する接続具７０を有している。接続具７０によれば、幌骨４０の揺動動作にともなって、幌骨４０に保持された幌布５０が、基部材３５から離間するように、幌骨４０上で移動することを抑制することができる。これにより、幌布５０が幌骨４０上をせり上がることを抑制して、幌布５０を適切な位置に維持することができる。幌布５０を所定の位置に維持できるので、幌３０や育児器具１０の見栄えが悪くなることを効果的に回避することができる。例えば、幌骨４０の基部材３５に対する揺動中心ＳＣを覆う状態に幌布５０を維持することができる。したがって、幌３０及び育児器具１０の外観上の見栄えが良く、幌３０及び育児器具１０の意匠性を向上させることができる。
【００４９】
図５及び図６に示すように、接続具７０の基部材３５への接続位置は、基部材３５に対する幌骨４０の揺動中心ＳＣよりも下方に位置する。したがって、接続具７０は、幌骨４０が延び上がる上方とは逆の下方へ幌布５０を引くようになる。この接続具７０によれば、幌布５０が幌骨４０上をせり上がる動作を効果的に規制することができる。これにより、幌３０の開閉状態によらず、幌布５０が基部材３５から離間するように幌骨４０上で移動することをより効果的に抑制することができる。
【００５０】
なお、図７に良く示されているように、延長布部６０は湾曲した形状を有している。より具体的には、図５に示された側面視において、揺動中心ＳＣに対面する位置で屈曲または比較的大きく湾曲するよう、第１幌骨４０Ａ及び第２幌骨４０Ｂに沿って延びている。したがって、図６に示された全閉状態においても、延長布部６０によって、揺動中心ＳＣ、幌骨４０の基端部４１、幌骨４０及び基部材３５の接続部分等を、幅方向Ｄ２から安定して覆うことができる。
【００５１】
また、図６に示すように、接続具７０の基部材３５への接続位置は、基部材３５に対する幌骨４０の揺動中心ＳＣよりも前方に位置する。したがって、図４及び図６に示すように、幌骨４０を後方に揺動させた際、例えば幌３０を後方に閉じた際に、幌布５０が幌骨４０上で移動することを効果的に規制することができる。例えば、幌３０を畳んだ状態において、幌骨４０の基端部４１や、幌骨４０及び基部材３５の接続部分が、幌３０から露出することを効果的に規制することができる。
【００５２】
図２に示すように。幌骨４０は、幅方向Ｄ２における外側から基部材３５に接続する。接続具７０は、幅方向Ｄ２における内側から基部材３５に接続している。この幌３０によれば、幌布本体５２によって、幅方向Ｄ２における外側から接続具７０を覆うことができる。したがって、接続具７０が目立ち、接続具７０によって幌３０及び育児器具１０の意匠性が害されることを効果的に回避することができる。
【００５３】
図５〜図７に示すように、接続具７０は、一方の側の端部分７６を幌布５０に縫い付けられたベルト部材７５を有している。ベルト部材７５は、他方の側において折り返された状態で縫い付けられることによって、基部材３５に接続する接続具７０の先端部分７２を形成している。基部材３５は、先端部分７２が通過した状態で接続具７０を保持する保持部３８を有している。この具体例によれば、接続具７０を簡易かつ軽量な構成とすることができる。また、接続具７０及び基部材３５の着脱を容易化することができる。
【００５４】
以上のように、接続具７０を設けて幌布５０の基部材３５に対する相対移動を規制することによって、幌骨４０の基部材３５に対する揺動中心ＳＣ、幌骨４０の基端部４１及び幌骨４０及び基部材３５が接続する部分が、幅方向Ｄ２における外側に露出することを抑制できる。ただし、幅方向Ｄ２における内側からも、揺動中心ＳＣ等が隠蔽されて観察され得なくなっていることが、意匠性の向上を図る上で更に好ましい。
【００５５】
この点に関連して本実施の形態による幌３０によれば、幌布５０は、幌骨４０に装着された幌布本体５２と、幌布本体５２の内面から延び出る延長布部６０と、を有している。基部材３５に対する幌骨４０の揺動中心ＳＣは、幅方向Ｄ２における幌布本体５２及び延長布部６０との間に位置している。この幌３０によれば、延長布部６０によって、幌骨４０の基部材３５に対する揺動中心ＳＣを、幅方向Ｄ２における内側から覆うことができる。しがたって、幌骨４０の基部材３５に対する揺動中心ＳＣが、育児器具１０における子供の居住空間に露出することを抑制することができる。これにより、幅方向Ｄ２における内側からも、揺動中心ＳＣを隠蔽して意匠性の向上を図ることができる。また、このような可動部を居住空間から隠すことによって、視覚的な安心感を保護者に与えることができる。
【００５６】
この具体例では、延長布部６０の大きさ等を適宜調整することができる。この場合、延長布部６０によって、幌骨４０の基端部４１や幌骨４０及び基部材３５が接続する部分を、幅方向Ｄ２における内側から覆うことができる。幌布本体５２によって、幌骨４０の基端部４１や幌骨４０及び基部材３５が接続する部分を、幅方向Ｄ２における外側から覆うこととの組合せにおいて、幌３０及び育児器具１０の意匠性を効果的に改善することができる。
【００５７】
図７に示すように、幌布本体５２には幌骨４０が通過する通過穴５３が設けられている。通過穴５３は幌骨４０が延び出す開口部５４を有している。そして、延長布部６０は、開口部５４を覆うように配置されている。とりわけ図示された例では、通過穴５３として、第１幌骨４０Ａが通過する第１通過穴５３Ａ及び第２幌骨４０Ｂが通過する第２通過穴５３Ｂが設けられている。そして、第１通過穴５３Ａの開口部５４及び第２通過穴５３Ｂの開口部５４の両方を覆うように、延長布部６０は配置されている。このような幌３０によれば、延長布部６０によって、幌骨４０，４０Ａ，４０Ｂの基端部４１を幅方向Ｄ２における内側から覆うことができる。これにより、幌３０及び育児器具１０の見栄えを良くすることができる。また、通過穴５３，５３Ａ，５３Ｂへ埃等の異物が入ることを抑制できる。
【００５８】
上述のとおり、接続具７０は、幌３０及び育児器具１０は意匠性の向上に寄与し得る。そして、接続具７０が隠蔽されていると更に好ましい。この点について、図示された例によれば、延長布部６０によって接続具７０が目立ちにくくなっている。
【００５９】
具体的には、接続具７０が、延長布部６０の幌布本体５２を向く面に取り付けられている。すなわち、延長布部６０の幅方向Ｄ２における外側を向く面に、接続具７０が取り付けられている。この幌３０によれば、接続具７０は、幅方向Ｄ２における外側から、幌布本体５２によって覆われる。また、接続具７０は、幅方向Ｄ２における内側から、延長布部６０によって覆われる。したがって、接続具７０が目立つことを抑制して、幌３０及び育児器具１０の意匠性を向上させることができる。
【００６０】
さらに、基部材３５は接続具７０を保持する保持部３８を有しており、延長布部６０は、基部材３５の保持部３８に幅方向Ｄ２において内側から対面する。つまり、延長布部６０は、接続具７０及び基部材３５基部材の接続位置に幅方向Ｄ２における内側から対面している。好ましくは、延長布部６０は接続具７０の全体を幅方向Ｄ２における内側から覆う。このような具体例によれば、接続具７０の基部材３５への取り付け部分が、幅方向Ｄ２における内側から、延長布部６０によって覆われる。したがって、接続具７０が目立つことを抑制して、幌３０及び育児器具１０の意匠性を向上させることができる。
【００６１】
加えて、接続具７０が延長布部６０に取り付けられることによって、延長布部６０の基部材３５に対する相対位置が変化しにくくなる。したがって、延長布部６０に期待された作用効果が安定して奏されるようになる。すなわち、基部材３５に対する幌骨４０の揺動中心ＳＣ、幌骨４０の基端部４１、基部材３５及び幌骨４０の接続部分等と幅方向Ｄ２に対面する位置に、延長布部６０を安定して維持することができる。これにより、延長布部６０による意匠性改善機能がより効果的に発揮される。
【００６２】
上述してきた一実施の形態において、育児器具１０に用いられる幌３０は、育児器具本体１２に接続する基部材３５と、基部材３５に揺動可能に接続した幌骨４０と、幌骨４０に装着された幌布５０と、幌布５０と基部材３５とを接続する接続具７０と、を有する。この幌３０によれば、幌骨４０の揺動動作にともなって、幌骨４０に保持された幌布５０が、基部材３５から離間するように、幌骨４０上で移動することを抑制することができる。これにより、外観上の見栄えが良くなり、育児器具の意匠性を向上させることができる。
【００６３】
また、上述してきた一実施の形態において、育児器具１０に用いられる幌３０は、育児器具本体１２に接続する基部材３５と、基部材３５に揺動可能に接続した幌骨４０と、幌骨４０に装着された幌布５０と、を有する。幌布５０は、幌骨４０に装着された幌布本体５２と、幌布本体５２の内面から延びした延長布部６０と、を有する。基部材３５に対する幌骨４０の揺動中心ＳＣは、幅方向Ｄ２において幌布本体５２及び延長布部６０との間に位置する。この幌３０によれば、幌布本体５２によって、幌骨４０の基部材３５に対する揺動中心ＳＣを、幅方向Ｄ２における外側から覆うことができる。したがって、外観上の見栄えが良く、幌３０及び育児器具１０の意匠性を向上させることができる。また、延長布部６０によって、幌骨４０の基部材３５に対する揺動中心ＳＣを、幅方向Ｄ２における内側から覆うことができる。しがたって、幌骨４０の基部材３５に対する揺動中心ＳＣが子供の居住空間に露出することを抑制することができる。これにより、外観上の見栄えが良くして幌３０及び育児器具１０の意匠性を向上させることができるだけでなく、視覚的な安心感を保護者に付与することができる。
【００６４】
具体例を参照しながら一実施の形態を説明してきたが、上述の具体例が一実施の形態を限定しない。上述した一実施の形態は、その他の様々な具体例で実施でき、その要旨を逸脱しない範囲で、種々の省略、置き換え、変更、追加等を行うことができる。
【００６５】
上述した具体例において、基部材３５が幌骨４０の幅方向Ｄ２における内側に位置していたが、基部材３５は一以上の幌骨４０の幅方向Ｄ２における外側に位置していてもよい。上述した具体例において、接続具７０が幅方向Ｄ２における内側から基部材３５に接続していたが、接続具７０は幅方向Ｄ２における外側から基部材３５に接続してもよい。
【００６６】
上述した具体例において、基部材３５がシート支持ユニット２６に着脱可能となっていた。基部材３５は乳母車本体２２から取り外し不可能であってもよい。基部材３５は乳母車本体２２の少なくとも一部分と分離不可能に一体的に形成されていてもよい。基部材３５は、シート支持ユニット２６出なく本体フレーム２４に接続していてもよい。
【００６７】
幌３０が適用された上述の乳母車２０は例示に過ぎず、上述した幌３０を種々の形式の乳母車に適用可能である。上述した具体例において、乳母車２０が育児器具１０をなす例を示したが、幌３０が適用される育児器具１０は、乳母車２０に限られない。一例として、育児器具１０が、チャイルドシートであってもよいし、ベビーラックであってもよいし、子供用の椅子であってもよいし、幼児用のベッドであってもよい。
【符号の説明】
【００６８】
１０：育児器具、１２：育児器具本体、２０：乳母車、２２：乳母車本体、３０：幌、３５：基部材、３６：接続部、３７：支持部、３８：保持部、３８ａ：保持穴、４０：幌骨、４０Ａ：第１幌骨、４０Ｂ：第２幌骨、４１：基端部、４５：補助芯材、５０：幌布、５２：幌布本体、５３：通過穴、５３Ａ：第１通過穴、５３Ｂ：第２通過穴、５４：開口部、５６：外布、５７：内布、６０：延長布部、６１：第１端部、６２：第２端部、６６：留め具、７０：接続具、７１：基端部分、７２：先端部分、７５：ベルト部材、７６：一端部分、７７：他端部分、ＳＣ：揺動中心、ＳＡ：揺動軸線、Ｄ１：前後方向、Ｄ２：幅方向、Ｄ３：上下方向
【要約】
幌（３０）は、育児器具（１０）に用いられる。幌は、育児器具本体（１２）に接続する基部材（３５）と、基部材に揺動可能に接続した幌骨（４０）と、幌骨に装着された幌布（５０）と、幌布と基部材とを接続する接続具（７０）と、を有する。【図１】
0006945913.tif 000002
【図２】
0006945913.tif 000003
【図３】
0006945913.tif 000004
【図４】
0006945913.tif 000005
【図５】
0006945913.tif 000006
【図６】
0006945913.tif 000007
【図７】
0006945913.tif 000008